(57)【要約】      （修正有）【課題】ホース収納部の前方及び後方の両側からのノズルの取出しを簡単且つ容易に行うことを可能とする。【解決手段】監視員通路に埋込設置された消火栓収納箱３０内に昇降自在に配置されたホース収納部４０は、消火栓を使用する場合に、昇降機構により監視員通路上の露出位置に上昇保持され、ノズル４８が装着されたホース４６を引き出して放水させる。ノズル４８の胴部にはノズルホルダー５０が固定されており、ホース収納部４０に内巻きされたホース４６の内側空洞部にノズルホルダー４８によりノズル４８が着脱自在に係止される。ノズルホルダー５０は、一端に形成されたリング状のホース係止部がホース４６側に着脱自在に係止され、ノズル４８のグリップ４８ｂを上向きにして配置されており、前方ホース取出口４４ａ又は後方ホース取出口４４ｂからのノズル取出しを可能とする。【選択図】図７
2018089270.tif 000002
【特許請求の範囲】
【請求項１】
先端にノズルを装着したホースが引き出し自在に収納されたホース収納部を備えた消火栓設備に於いて、
前記ホース収納部に収納された前記ホースに前記ノズルを着脱自在に係止させるノズルホルダーが設けられたことを特徴とする消火栓設備。
【請求項２】
請求項１記載の消火栓設備に於いて、
前記ホース収納部は、トンネル側壁に沿って設けられた監視員通路の内部に昇降自在に配置され且つ前後にホース取出口が開口された筐体に、前記ホースが縦回りの内巻きにより引き出し自在に収納されており、
消火栓を使用する場合に、前記ホース収納部を上昇させて前記監視員通路上の所定の露出位置に保持させる昇降機構が設けられ、
前記ホース収納部に内巻きされた前記ホースの内側空洞部に、前記ノズルホルダーにより前記ノズルが着脱自在に係止されたことを特徴とする消火栓設備。
【請求項３】
請求項１記載の消火栓設備に於いて、
前記ホース収納部は、前面開口に開閉自在な消火栓扉が設けられた筐体内に前記ホースが内巻きにより引き出し自在に収納されており、
前記ホース収納部に内巻きされた前記ホースに、前記ノズルホルダーにより前記ノズルが着脱自在に係止されたことを特徴とする消火栓設備。
【請求項４】
請求項２又は３記載の消火栓設備に於いて、
前記ノズルホルダーは、前記ノズルの胴部を挟んで両側に一対のホルダーアームの一端が固定され、前記一対のホルダーアームは先端側に、先端で開き且つ前記ホースの外径に対応した内径を持つリング状のホース係止部が形成されており、
前記ホース収納部に内巻きされたホースの内側空洞部の下側のホース部位に前記ノズルの胴部両側に固定された前記一対のホルダーアームに形成された前記ホース係止部が着脱自在に嵌め入れられたことを特徴とする消火栓設備。
【請求項５】
請求項２又は３記載の消火栓設備に於いて、
前記ノズルホルダーは、連結部の一端に先端側に開き且つ前記ホースの外径に対応した内径を持つリング状のホース係止部が形成されると共に、前記連結部の他端に先端側に開き且つ前記ノズルの胴部外径に対応した内径を持つノズル係止部が形成されたことを特徴とする消火栓設備。
【請求項６】
請求項５記載の消火栓設備に於いて、
前記ノズルを引き外す場合に、前記ノズルホルダーの前記ホース係止部が前記ホース側から先に外れるように、前記ホース係止部の係止強度が前記ノズル係止部の係止強度より低くされたことを特徴とする消火栓設備。
【請求項７】
請求項５記載の消火栓設備に於いて、
前記ノズルホルダーの前記ホース係止部の前記ホース側に対する係止の遊び間隔が、前記ノズル係止部の前記ノズルに対する係止の遊び間隔より大きくされたことを特徴とする消火栓設備。
【請求項８】
請求項５記載の消火栓設備に於いて、
前記ノズルホルダーの前記ホース係止部が剛性の低い所定の素材で形成され、前記ノズル係止部が前記ホース保持部に対し剛性の高い他の素材で形成されたことを特徴とする消火栓設備。
【請求項９】
請求項５記載の消火栓設備に於いて、
前記ホース収納部の筐体の前後に開口された開口部の各々にホース取出口を画成させるパイプ部材が配置され、前記パイプ部材に前記ノズルホルダーに係止された前記ノズルを吸着固定させる磁石部材が設けられたことを特徴とする消火栓設備。
【請求項１０】
請求項９記載の消火栓設備に於いて、前記磁石部材として、前記ノズルホルダーに係止された前記ノズルの近傍に位置する前記パイプ部材に、棒磁石が配置されたことを特徴とするトンネル内消火栓装置。
【請求項１１】
請求項９記載の消火栓設備に於いて、前記磁石部材として、前記ノズルホルダーに係止された前記ノズルの近傍の前記パイプ部材に、リング磁石が軸方向で移動自在に嵌め入れられたことを特徴とするトンネル内消火栓装置。
【請求項１２】
請求項２記載の消火栓設備に於いて、
前記ホース収納部は、前記筐体の前後に、上下に仕切られ中央で横長に開口されたホース取出口が形成され、前記ホース取出口の上部仕切りの内側及び下部仕切りの内側の各々に、縦回りに内巻きされ前記ホースの空洞部に向けて開くように仕切板が傾斜して配置されたことを特徴とする消火栓設備。
【請求項１３】
請求項２記載の消火栓設備に於いて、
前記ホース収納部は、前記筐体の前後に、上下に仕切られ中央で横長に開口されたホース取出口が形成され、前方のホース取出口の上側に道路側から行う操作説明が表記された第１表示板が配置され、後方のホース取出口の上側に監視員通路側から行う操作説明が表記された第２表示板が配置され、前記第２表示板は表示面を斜め上向きとなるように傾斜して配置されたことを特徴とする消火栓設備。
【請求項１４】
請求項２記載の消火栓設備に於いて、
前記昇降機構により昇降される前記ホース収納部に、放水試験に使用する試験ホース装置が装着されるメンテナンス弁が設けられたことを特徴とする消火栓設備。
【発明の詳細な説明】
【技術分野】
【０００１】
本発明は、ホース収納部を上昇させてホース取出しを可能とする消火栓設備に関する。
【背景技術】
【０００２】
従来、高速道路や自動車専用道路などのトンネル内に設置するトンネル非常用設備として消火栓装置が設けられており、消火栓装置は開放自在な消火栓扉を備えた筐体の消火栓収納部に、先端にノズルを装着したホースとバルブ類を収納され、また、開閉自在な消火器扉を備えた消火器収納部に例えば２本の消火器が収納されている。
【０００３】
このような消火栓装置は、トンネル内に設けた監視員通路に面した側壁に沿って例えば５０メートル間隔で設置されている。監視員通路は路面に対し１メートル程度高くした側壁通路として設けられ、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００５】
【特許文献１】特開２００８−０５５０２４号公報
【特許文献２】特開２００９−２８５１２６号公報
【発明の概要】
【発明が解決しようとする課題】
【０００６】
しかしながら、このような従来のトンネル内に設置した消火栓装置にあっては、監視員通路に面したトンネル側壁に沿って設置していたため、車両事故による火災の発生時に利用者は、路面から監視員通路を超えたトンネル側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００７】
この問題を解決するため、本願出願人は、道路側及び監視員通路側から簡単且つ容易に取り扱うことができる昇降型の消火栓設備を提案している。昇降型の消火栓設備は、ノズル付きのホースが収納されたホース収納部が監視員通路内に昇降機構により昇降自在に配置されており、トンネル内で火災を伴う車両事故の発生時には、所定の操作を行うと、昇降機構の作動によりホース収納部が監視員通路上の露出位置に上昇して係止され、消火栓扉の開放操作を必要とすることなく、監視員通路上に露出したホース収納部のホース取出口から簡単且つ容易にノズル付きホースを引き出して消火を行うことができる。
【０００８】
ところで、このような昇降型の消火栓設備にあっては、昇降機構の作動により監視員通路上の露出位置にホース収納部が上昇して係止された場合、道路側のホース取出口又は監視員通路側のホース取出口からノズルを取り出してホースを引き出すことにより消火作業を行うことになるが、ホース収納部には道路側又は監視員通路側の両方のホース取出口から取出せるようにノズルを係止させる必要があり、この点が解決課題として残されている。
【０００９】
また、消火栓扉を開いてノズルを取り出す従来の消火栓装置にあっても、ノズルをホース収納部に設けたフレームパイプ等にノズルホルダーを固定設置してノズルを着脱自在に係止しており、ノズルを取出してホースを引き出す際に、フレームパイプ等に固定設置されたノズルホルダーに接触してホースが損耗を起こす問題があった。
【００１０】
本発明は、ホース収納部の前方及び後方のホース取出口の両方からのノズルの取出しを簡単且つ容易に行うことを可能とする消火栓設備を提供することを目的とする。
【００１１】
また、本発明は、消火栓扉を開いてノズルを取り出してホースを引き出す場合にノズルホルダーに接触してホースを損耗させることのない消火栓設備を提供することを他の目的とする。
【課題を解決するための手段】
【００１２】
（消火栓設備）
本発明は、
先端にノズルを装着したホースが引き出し自在に収納されたホース収納部を備えた消火栓設備に於いて、
ホース収納部に収納されたホースにノズルを着脱自在に係止させるノズルホルダーが設けられたことを特徴とする。
【００１３】
（昇降型の消火栓設備）
ホース収納部は、トンネル側壁に沿って設けられた監視員通路の内部に昇降自在に配置され且つ前後にホース取出口が開口された筐体に、ホースが縦回りの内巻きにより引き出し自在に収納されており、
消火栓を使用する場合に、ホース収納部を上昇させて監視員通路上の所定の露出位置に保持させる昇降機構が設けられ、
ホース収納部に内巻きされたホースの内側空洞部に、ノズルホルダーによりノズルが着脱自在に係止される。
【００１４】
（扉開閉型の消火栓設備）
ホース収納部は、前面開口に開閉自在な消火栓扉が設けられた筐体内にホースが内巻きにより引き出し自在に収納されており、
ホース収納部に内巻きされたホースに、ノズルホルダーの一端が着脱自在に係止されると共にノズルホルダーの他端にノズルが着脱自在に係止される。
【００１５】
（ノズル固定のノズルホルダー）
また、ノズルホルダーは、ノズルの胴部を挟んで両側に一対のホルダーアームの一端が固定され、一対のホルダーアームは先端側に、先端で開き且つホースの外径に対応した内径を持つリング状のホース係止部が形成されており、
ホース収納部に内巻きされたホースの内側空洞部の下側のホース部位にノズルの胴部両側に固定された一対のホルダーアームに形成されたホース係止部が着脱自在に嵌め入れられる。
【００１６】
（ノズルホルダーのホース及びノズル係止構造）
ノズルホルダーは、連結部の一端に先端側に開き且つホースの外径に対応した内径を持つリング状のホース係止部が形成されると共に、連結部の他端に先端側に開き且つノズルの胴部外径に対応した内径を持つノズル係止部が形成される。
【００１７】
（ノズルホルダーの係止強度）
ノズルを引き外す場合に、ノズルホルダーのホース係止部がホース側から先に外れるように、ホース係止部の係止強度をノズル係止部の係止強度より低くされる。
【００１８】
（ノズルホルダーの遊び間隔）
ノズルホルダーのホース係止部のホース側に対する係止の遊び間隔が、ノズル係止部のノズルに対する係止の遊び間隔より大きくされる。
【００１９】
（ノズルホルダーの係止剛性）
ノズルホルダーのホース係止部が剛性の低い所定の素材で形成され、ノズル係止部がホース保持部に対し剛性の高い他の素材で形成される。
【００２０】
（ノズルの磁気吸着による固定）
ホース収納部の筐体の前後に開口された開口部の各々にホース取出口を画成させるパイプフレームが配置され、パイプフレームにノズルホルダーに係止されたノズルを吸着固定させる磁石部材が設けられ、磁石部材としては、ノズルホルダーに係止されたノズルの近傍に位置するパイプフレームに、棒磁石が配置されるか、又はリング磁石が移動自在に嵌め入れられる。
【００２１】
（ノズルホルダー）
本発明の別の形態にあっては、ノズルホルダーに於いて、ホース収納部に収納された先端にノズルを装着したホースに、ノズルを係止させることを特徴とする。
【００２２】
（ノズルホルダーの構造）
ホース側に一端が着脱自在に係止されると共に他端にノズルが着脱自在に支持される構造を備える。
【００２３】
（ノズルホルダーのホース及びノズル係止構造）
連結部の一端に先端側に開き且つホースの外径に対応した内径を持つホース係止部が形成されると共に、連結部の他端に先端側に開き且つノズルの胴部外径に対応した内径を持つノズル係止部が形成される。
【００２４】
（ノズルホルダーの係止強度）
ノズルを引き外す場合に、ホース係止部がホース側から先に外れるように、ホース係止部の係止強度をノズル係止部の係止強度より低くされる。
【００２５】
（ノズルホルダーの遊び間隔）
ホース係止部のホース側に対する係止の遊び間隔が、ノズル係止部のノズルに対する係止の遊び間隔より大きくされる。
【００２６】
（ノズルホルダーの係止剛性）
ホース係止部が剛性の低い所定の素材で形成され、ノズル係止部がホース保持部に対し剛性の高い他の素材で形成される。
【００２７】
（ホースの傾斜仕切板）
ホース収納部は、筐体の前後に、上下に仕切られ中央で横長に開口されたホース取出口が形成され、ホース取出口の上部仕切りの内側及び下部仕切りの内側の各々に、縦回りに内巻きされたホースの空洞部に向けて開くように仕切板が傾斜して配置される。
【００２８】
（監視員通路側の表示板の傾斜配置）
ホース収納部は、筐体の前後に、上下に仕切られ中央で横長に開口されたホース取出口が形成され、前方のホース取出口の上側に道路側から行う操作説明が表記された第１表示板が配置され、後方のホース取出口の上側に監視員通路側から行う操作説明が表記された第２表示板が配置され、第２表示板は表示面を斜め上向きとなるように傾斜して配置される。
【００２９】
（昇降されるホース収納部にメンテナンス弁を配置）
昇降機構により昇降されるホース収納部に、放水試験に使用する試験ホース装置が装着されるメンテナンス弁が設けられる。
【発明の効果】
【００３０】
（基本的な効果）
本発明は、先端にノズルを装着したホースが引き出し自在に収納されたホース収納部を備えた消火栓設備に於いて、ホース収納部に収納されたホースにノズルを着脱自在に係止させるノズルホルダーが設けられたため、ホース収納部が設けられた筐体側にノズルホルダーを固定設置する必要がなく、ホース側の必要な位置にノズルホルダーを介してノズルを着脱自在に係止でき、また、筐体側にノズルホルダーが固定設置されているため、ホース収納部から引出したホースがノズルホルダーに当って損耗することもない。
【００３１】
（昇降型の消火栓設備における効果）
また、ホース収納部は、トンネル側壁に沿って設けられた監視員通路の内部に昇降自在に配置され且つ前後にホース取出口が開口された筐体に、ホースが縦回りの内巻きにより引き出し自在に収納されており、消火栓を使用する場合に、ホース収納部を上昇させて監視員通路上の所定の露出位置に保持させる昇降機構が設けられ、ホース収納部に内巻きされたホースの内側空洞部に、ノズルホルダーによりノズルが着脱自在に係止されたため、ホースが内巻きされた空洞部の中にノズルホルダーによりノズルが着脱自在に係止されることとなり、これにより監視員通路上の露出位置に係止されたホース収納部に対し、道路側となる前方からのノズルの取出し、及び、監視員通路側となる後方からのノズルの取出しの両方を簡単且つ容易に行うことを可能とする。
【００３２】
（扉開閉型の消火栓設備による効果）
また、ホース収納部は、前面開口に開閉自在な消火栓扉が設けられた筐体内にホースが内巻きにより引き出し自在に収納されており、ホース収納部に内巻きされたホースに、ノズルホルダーの一端が着脱自在に係止されると共にノズルホルダーの他端にノズルが着脱自在に係止されたため、ノズルホルダーのホース係止部を内巻きされたホース側に嵌め入れて係止させ、ホースに係止されたノズルホルダーのノズル係止部にノズルが着脱自在に係止されることとなり、従来のように、ホース収納部のフレームパイプ等にノズルホルダーを固定設置する必要がなく、ノズルホルダーからノズルを取り出してホースを引き出すと、ホースに係止しているノズルホルダーもホースと共に引き出され、従来のフレームパイプ等に固定設置されたノズルホルダーにホースが接触して損耗する問題も起きない。また、ホース収納部のフレームパイプ等に、ノズルホルダーを固定配置する必要がないため、構造が簡単となり、設置スペースも低減可能とする。
【００３３】
（ノズル固定のノズルホルダーによる効果）
また、ノズルホルダーは、ノズルの胴部を挟んで両側に一対のホルダーアームの一端が固定され、一対のホルダーアームは先端側に、先端で開き且つホースの外径に対応した内径を持つリング状のホース係止部が形成されており、  ホース収納部に内巻きされたホースの内側空洞部の下側のホース部位にノズルの胴部両側に固定された一対のホルダーアームに形成されたホース係止部が着脱自在に嵌め入れられたため、ホース収納部の筐体内に縦回りに内巻きされたホース空洞部の下側に、ノズル側に固定されているノズルホルダーのホルダーアームを差し込んで係止させることになり、ホース取出口の内部下側にノズルが係止されていることで、道路側となる前方からのノズルの取出し、及び、監視員通路側となる後方からのノズルの取出しの両方を簡単且つ容易に行うことを可能とする。
【００３４】
また、ノズル胴部に設けられたグリップの反対側に上向きにノズルホルダーが固定されているため、グリップを持ってノズルを操作する場合にノズルホルダーが補佐的な役割を果たすことが可能となり、ノズル操作をより行い易くできる。
【００３５】
（ノズルホルダーのホース及びノズル係止構造による効果）
また、ノズルホルダーは、連結部の一端に先端側に開き且つホースの外径に対応した内径を持つリング状のホース係止部が形成されると共に、連結部の他端に先端側に開き且つノズルの胴部外径に対応した内径を持つノズル係止部が形成されたため、ノズルホルダーは一端に形成されたホース係止部を、ホースの内巻きにより形成された内側空洞部の上側に並んでいるホース部分に嵌め入れて吊り下げ、下側に位置するノズルホルダーのノズル係止部にノズルを嵌め入れて係止させることで、ホース内側の空洞部内に宙づりされた状態でノズルが係止され、これにより監視員通路上の露出位置に係止されたホース収納部に対し、道路側となる前方からのノズルの取出し、及び、監視員通路側となる後方からのノズルの取出しの両方を簡単且つ容易に行うことを可能とする。
【００３６】
（ノズルホルダーの係止強度による効果）
また、ノズルを引き外す場合に、ホース係止部がホース側から先に外れるように、ホース係止部の係止強度をノズル係止部の係止強度より低くされており、具体的には、ホース係止部のホース側に対する係止の遊び間隔が、ノズル係止部のノズルに対する係止の遊び間隔より大きくされ、或いは、ホース係止部が剛性の低い所定の素材で形成され、ノズル係止部がホース保持部に対し剛性の高い他の素材で形成されているため、ホース収納部からノズルを取り出すと、ホースホルダーがノズル共にホースから外れ、ノズルを取り出した場合にノズルホルダーがホース側に残ってホース引出しを妨げることを確実に防止可能とする。
【００３７】
（ノズルの磁気吸着による固定の効果）
また、ホース収納部の筐体の前後に開口された開口部の各々にホース取出口を画成させるパイプフレームが配置され、パイプフレームにノズルホルダーに係止されたノズルを吸着固定させる磁石部材が設けられ、磁石部材としては、ノズルホルダーに係止されたノズルの近傍に位置するパイプフレームに、棒磁石が配置されるか、又はリング磁石が移動自在に嵌め入れられたため、ホースに支持されたノズルホルダーには係止されたノズルは、パイプフレーム側に磁気吸着されることで固定され、ノズルホルダーに係止されたノズルが不必要に動いてしまうことを確実に防止可能とする。
【００３８】
（ノズルホルダーの効果）
本発明によるノズルホルダーの効果は、前述した消火栓設備におけるノズルホルダーの効果と基本的に同じになり、特に、ホース収納部を昇降自在に設けた新型の消火栓設備においても、従来と同等以上の簡単且つ容易なノズル取出しを可能とする。
【００３９】
（ホースの傾斜仕切板による効果）
また、ホース収納部は、筐体の前後に、上下に仕切られ中央で横長に開口されたホース取出口が形成され、ホース取出口の上部仕切りの内側及び下部仕切りの内側の各々に、内巻きされたホースの空洞部に向けて開くように仕切板が傾斜して配置されたため、筐体内の上下に位置する下向き傾斜して開いた仕切板と上向きに傾斜して開いた仕切板の間にホースが縦回りに内巻きされていることで、ホースを引き出す場合の摩擦抵抗が低減され、軽い力によるホースの引き出しを可能とする。
【００４０】
また、消火作業を終了してホースを筐体内に巻き戻す場合、筐体内の上下に位置する下向き傾斜して開いた仕切板と上向きに傾斜して開いた仕切板の間にホースを縦回りに内巻きすることとなり、仕切板により巻き数と段数が制限されることで、誰が巻いても所定の巻き数と段数となるホースの巻き戻しが可能となり、安定したホースの内巻き状態が確保され、滑らかなホースの引き出しを可能とする。
【００４１】
（監視員通路側の表示板の傾斜配置による効果）
また、ホース収納部は、筐体の前後に、上下に仕切られ中央で横長に開口されたホース取出口が形成され、前方のホース取出口の上側に道路側から行う操作説明が表記された第１表示板が配置され、後方のホース取出口の上側に監視員通路側から行う操作説明が表記された第２表示板が配置され、第２表示板は表示面を斜め上向きとなるように傾斜して配置されるようにしたため、操作者が監視員通路に立って監視員通路上に上昇されたホース収納部の筐体背後のホース取出口からノズル付きのホースを引き出して消火作業を行う場合、ホース取出口の上側に第２表示板が斜め上向きに傾斜して設けられていることで視認性が向上し、監視員通路側からの迅速且つ確実な操作を可能とする。
【００４２】
（昇降されるホース収納部にメンテナンス弁を配置した効果）
また、昇降機構により昇降されるホース収納部に、放水試験に使用する試験ホース装置が装着されるメンテナンス弁が設けられたため、ホース収納部を監視員通路上に上昇させるとメンテナンス弁が外部に露出され、メンテナンス弁に試験ホース装置を装着して容易に放水試験を行うことができる。
【図面の簡単な説明】
【００４３】
【図１】シールドトンネル内に設置した消火栓設備を含むトンネル非常用設備を示した説明図
【図２】ホースを収納する消火栓収納箱を正面、平面及び側面から示した説明図
【図３】ホース収納部を上昇して監視員通路上に露出させた状態の消火栓収納箱を正面及び側面から示した説明図
【図４】ホース収納部を上昇して監視員通路上に露出させた状態の消火栓収納箱を背面から示した説明図
【図５】昇降機構によりホース収納部を上昇して監視員通路上に露出させた状態での内部構造を道路側から見た断面で示した説明図
【図６】消火栓設備の放水制御系統を示した説明図
【図７】ノズル係止構造の第１実施形態を示した説明図
【図８】図７のノズルホルダーによりホース収納部にノズルを保持させた状態を示した説明図
【図９】ノズル係止構造の第２実施形態を示した説明図
【図１０】図９のノズルホルダーを取り出して正面及び横断面で示した説明図
【図１１】ホースに支持したノズルホルダーに対するノズルの係止状態を取り出して正面及び横断面で示した説明図
【図１２】ホース収納部のパイプフレームに磁石吸着機能を持たせたノズル係止構造の実施形態を示した説明図
【図１３】消火栓扉を備えた消火栓装置におけるノズルホルダーによりノズル係止を消火栓扉及び保守扉を外して正面から見て示した説明図
【発明を実施するための形態】
【００４４】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００４５】
床版１８で仕切られた道路１５の左側のトンネル壁面１２に沿って監視員通路１４が設けられ、監視員通路１４の下側の内部空間はダクト２２として利用され、電線管等が敷設される。
【００４６】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００４７】
トンネル１０の長手方向の５０メートルおきには、消火栓設備１６が設置され、消火栓設備１６はホースが収納された消火栓収納箱３０と制御機構収納部６６に分離して設置されている。
【００４８】
消火栓収納箱３０は、監視員通路１４の路面及び道路１５側の壁面にかけて箱形に刳り貫かれた消火栓埋込部に配置されている。制御機構収納部６６は、消火栓収納箱３０の下側となる管理用通路２０に配置され、給水本管２４から分岐した分岐管が引き込まれ、また、消火栓収納箱３０に消火用水を供給する給水配管が立ち上げられている。
【００４９】
消火栓設備１６の消火栓収納箱３０にはノズル付きホースが収納されたホース収納部とその昇降機構が設けられており、所定の上昇操作を行うと、昇降機構により監視員通路１４上の露出位置にホース収納部が上昇されて露出状態となり、ノズル付きホースの引き出しによる消火作業を可能とする。
【００５０】
［消火栓設備］
図２はホースを収納する消火栓収納箱を正面、平面及び側面から示した説明図、図３はホース収納部を上昇して監視員通路上に露出させた状態の消火栓収納箱を正面及び側面から示した説明図、図４はホース収納部を上昇して監視員通路上に露出させた状態の消火栓収納箱を背面から示した説明図である。
【００５１】
（消火栓収納箱の外観構造）
図２に示すように、消火栓設備１６の消火栓収納箱３０は、監視員通路１４の床面下の内部空間に埋込み設置されている。消火栓収納箱３０の中には、パンタグラフ機構を用いた昇降機構５４の水圧シリンダ５６の駆動により昇降されるホース収納部４０が配置されている。
【００５２】
消火栓収納箱３０は、筐体３２の前面に開口部３４を形成しており、開口部３４には点検扉３６が複数のボルトにより固定されており、ボルトを取り外すことで、着脱自在に設けられている。
【００５３】
点検扉３６の前面には、「泡消火栓」を示す銘板が４文字に分かれて配置されており、また、上部の２箇所には、点検扉３６の取外し又は取付けの際に手を掛ける取手３８が設けられている。また、点検扉３６の中央には操作説明を表示した操作表示板３９が配置されている。
【００５４】
図２（Ｂ）に示す消火栓収納箱３０の監視員通路１４の路面となる上部には昇降機構４５により昇降されるホース収納部４０の路面板４３が位置し、筐体３２の上側を閉鎖している。この路面板３０には、道路１５側に向けた操作表示板３９ｂと監視員通路１４側に向けて操作表示板３９ｃが配置されている
なお、消火栓収納箱３０に対応して通報装置パネルが設けられ、通報装置パネルには、赤色表示灯、発信機及び応答ランプが設けられているが、図示を省略している。また、通報装置パネルには、消火栓収納箱３０内に設けられているホース収納部を昇降操作するための上昇スイッチと下降スイッチが設けられているが、図示を省略している。
【００５５】
（内部空間に設置した消火栓設備の構造）
図３はホース収納部を上昇して監視員通路上に露出させた状態の消火栓収納箱を正面及び側面から示した説明図、図４はホース収納部を上昇して監視員通路上に露出させた状態の消火栓収納箱を背面から示した説明図である。
【００５６】
図３及び図４に示すように、監視員通路１４に設置された消火栓収納箱３０の中にはホース収納部４０が昇降自在に配置される。ホース収納部４０は、前面及び背面に開口した箱型の筐体４１を備え、筐体４１の前面の開口に２本のフレームパイプ４２ａが配置され、その間に道路１５側からホース４６を引き出すための前方ホース取出口４４ａが形成されている。前方ホース取出口４４ａの上下には仕切板４７ａが配置されている。
【００５７】
また、筐体４１の背面の開口にも２本のフレームパイプ４２ｂが配置され、その間に監視員通路１４側からホース４６を引き出すための後方ホース取出口４４ｂが形成されている。後方ホース取出口４４ｂの上下には仕切板４７ｂが配置されている。
【００５８】
ホース収納部４０の内部には、先端にノズル４８を装着したホース４６が縦回りに内巻きした状態で収納されている。ホース４６の内巻きにより形成された内側空洞部の下側には、ノズル４８がグリップを上向きにしてノズルホルダーにより着脱自在に係止されている。
【００５９】
ここで、図３（Ａ）に示す前方ホース取出口４４ａは筐体４１の前面上下方向の略中央に形成されているのに対し、図４に示す後方ホース取出口４４ｂは、後面上下方向の中央から下側にオフセットした位置に形成されており、監視員通路１４側から利用者が操作する場合、ホース収納部４０内に係止されているノズル４８を取り出し易くしている。
【００６０】
ホース収納部４０の右側の筐体４１内には消火栓弁開閉レバー４５が設けられ、消火栓弁開閉レバー４５はパイロット手動弁９０の開閉操作を行い、管理用通路２０内の制御機構収納部６６に分離配置された消火栓弁を遠隔的に開閉可能としている。なお、消火栓弁開閉レバー４５に替えて、管理用通路２０内に配置している制御機構収納部６６に設けられた放水制御機構を操作して電動弁を開放させる放水スイッチと電動弁を閉鎖させる放水停止スイッチを設けても良い。
【００６１】
また、ホース収納部４０の右側の筐体４１内にはメンテナンス弁８５が設けられている。メンテナンス弁８５は管理用通路２０内に配置している制御機構収納部６６からの給水配管をホース４６に接続する配管に設けられている。このため、点検時には、ホース収納部４０を上昇させて監視員通路上に露出させた状態で、メンテナンス弁８５にメンテナンスホース（試験ホース）を装着して簡単に放水試験を行うことができる。
【００６２】
図３（Ａ）に示す監視員通路上に上昇されたホース収納部４０の前面には、ノズル操作表示板４９ａ、３枚に分けて操作説明が示された第１表示板９８ａ及び開閉レバー操作表示板５３ａが配置されている。
【００６３】
また、図４に示す監視員通路上に上昇されたホース収納部４０の背面には、ノズル操作表示板４９ｂ、３枚に分けて操作説明が示された第２表示板９８ｂ及び開閉レバー操作表示板５３ｂが配置されている。
【００６４】
（昇降機構）
図５は昇降機構によりホース収納部を上昇して監視員通路上に露出させた状態での内部構造を道路側から見た断面で示した説明図である。
【００６５】
図５に示すように、ホース収納部４０は昇降機構５４により昇降自在に支持されており、本実施形態にあっては、昇降機構５４としてパンタグラフ機構を用いている。
【００６６】
パンタグラフ機構を用いた昇降機構５４は、２本のリンクアーム５４ａ，５４ｂで構成される。リンクアーム５４ａは左端が支点５５ａにより基台８０に回動自在に支持され、またリンクアーム５４ｂは左端を支点５５ｂにより取付台８２に回動自在に支持され、リンクアーム５４ａ，５４ｂを中央で交差させて支点５５ｃで回動自在に連結させている。
【００６７】
また、リンクアーム５４ａの右端はローラ５７ａにより取付台８２に沿って移動自在に支持され、リンクアーム５４ｂの右端はローラ５７ｂにより基台８０に移動自在に支持されている。
【００６８】
昇降機構５４の駆動機構としては、ピストンシリンダ機構が設けられ、水圧シリンダ５６の下端がリンクアーム５４ｂに支点５９ａにより回動自在に連結され、水圧シリンダ５６内に摺動自在に設けられたピストン５８に連結されたピストンロッド６０の先端がリンクアーム５４ａに支点５９ｂにより回動自在に連結されている。
【００６９】
消火栓収納箱３０が配置された監視員通路１４の内部空間の下側となる管理用通路２０には制御機構収納部６６が配置され、制御機構収納部６６には、ホース収納部４０のホース４６に消火用水を供給して放水させるバルブ類を備えた放水制御機構と、昇降機構５４を昇降駆動させるバルブ類を備えた昇降制御機構が設けられている。
【００７０】
制御機構収納部６６に対しては水圧源として機能する給水本管２４から分岐した分岐配管２４ａが連結され、消火ポンプ設備から給水本管２４に供給されている消火用水を導入している。
【００７１】
制御機構収納部６６に内蔵した放水制御機構からの給水配管６８は、連結ホース６２を介してホース収納部４０のホース接続口となるフレキシブルジョイント６４に連結されている。連結ホース６２は、昇降機構５４によりホース収納部４０を監視員通路１４上の露出位置に押し上げて保持した場合に、連結に必要な余裕を持ったホース長としており、これにより固定側となる配管に対しホース収納部４０が昇降作動しても、連結ホース６２が抜けることなくホース収納部４０が動けるようにしている。また、昇降作動で生ずる連結ホース６２の動きはフレキシブルジョイント６４の動きで吸収される。
【００７２】
また、制御機構収納部６６に内蔵した昇降制御機構からは、消火用水の供給と排水を行うための配管７０が昇降機構５４の水圧シリンダ５６に接続されている。
【００７３】
ここで、昇降機構５４に設ける水圧シリンダ５６の数は必要に応じて適宜の数とすることができ、例えば、ホース収納部４０の底部に複数本の水圧シリンダを配置しても良い。
【００７４】
ホース収納部４０と制御機構収納部６６との連結は、監視員通路内を連結ホース６２とし、管理用通路２０側を給水配管６８としているが、ホース収納部４０と制御機構収納部６６との間を連結ホースにより直接に連結してもよい。この場合にも、ホース収納部４０側及び制御機構収納部６６に対する連結ホースの接続は、何れか一方又は両方をフレキシブルジョイントによる連結とする。
【００７５】
また、制御機構収納部６６からはパイロット配管９４ａ，９４ｂが消火栓収納箱３０に立ち上げられ、フレキシブル配管６２を介してホース収納部４０に設けられたパイロット手動弁９０に接続されている。
【００７６】
なお、昇降機構５４は水圧シリンダ５６を用いたピストンシリンダ昇降機構に限定されず、パンタグラフ機構を用いた昇降機構やスクリューシャフトを用いた昇降機構としても良い。
【００７７】
（放水制御機構）
図６は消火栓設備の放水制御系統を示した説明図である。図６に示すように、放水制御系統は、一斉開放弁として機能する消火栓弁７６の１次側に消火ポンプ設備７５から配管が接続される。消火栓弁７６は、弁体を開閉する開閉駆動部としてシリンダピストン機構を備えており、シリンダ室に対するパイロット圧の供給によりピストンを作動して弁体を開放位置に移動させ、パイロット圧の抜きによりリターンスプリングによりピストンを初期位置に戻して弁体を閉鎖位置に移動させる構造を備える。
【００７８】
消火栓弁７６に対しては、ホース収納部４０側に分離配置されたパイロット手動弁９０が設けられ、パイロット手動弁９０は消火栓弁開閉レバー４５により開位置と閉位置に切り替え可能な小型の開閉弁を使用している。
【００７９】
パイロット手動弁９０の入口ポートに対しては消火栓弁７６の１次側から分岐されたパイロット配管９４ａが接続され、パイロット手動弁９０の出口ポートに接続されたパイロット配管９４ｂは消火栓弁７６のシリンダポートに接続されている。
【００８０】
また、本実施形態では、制御機構収納部６６にも消火栓弁開閉レバー４５ａにより操作されるパイロット手動弁９２を設けており、管理用通路２０側での放水操作を可能としている。
【００８１】
パイロット配管９４ｂには圧力スイッチを用いたポンプ起動連動スイッチ９６が設けられ、パイロット手動弁９０を開操作した場合に供給される消火用水によりスイッチオンし、監視センター等に設置された防災監視盤にポンプ起動信号を送信して消火ポンプ設備７５を起動させるようにいている。更に、パイロット配管９４ｂに対しては大気開放弁として機能する自動排水弁８６が接続される。
【００８２】
消火栓弁７６に続いては自動調圧弁７８及び混合器８０が接続され、混合器８０には泡原液を収納した泡タンク８２が接続されている。混合器８４の２次側荷はメンテナンス弁８４から給水配管６８を介してホース収納部４０に接続され、ホース収納部４０に設けられたメンテナンス弁８５を介してホース４６に接続されている。
【００８３】
ここで、本実施形態にあっては、制御機構収納部６６にもメンテナンス弁８５を設け、メンテナンスホース８３の接続による点検時の放水試験を可能としているが、メンテナンス弁８４は省略し、ホース収納部４０のメンテナンス弁８５のみとしても良い。
【００８４】
自動調圧弁７８の２次側には、大気開放弁として機能する自動排水弁８８が設けられ、消火栓弁７６を閉鎖した場合に、２次側配管からの水抜きを可能としている。
【００８５】
（消火栓弁の操作）
ホース収納部４０に設けられたパイロット手動弁の消火栓弁開閉レバー４５による消火栓弁７６の開閉駆動は次のようになる。通常時、消火栓弁開閉レバー４５は放水停止位置にあり、パイロット手動弁９０は閉鎖し、消火栓弁７６のシリンダ室は自動排水弁８６により排水側（大気開放側）に連通しており、シリンダ室は無圧状態となり、スプリングによりピストンは弁体を閉じた閉鎖位置としている。
【００８６】
消火栓弁開閉レバー４５を放水位置に操作すると、パイロット手動弁９０が開放され、消火用水が起動用パイロット配管９４ｂを介して消火栓弁７６のシリンダ室に供給され、シリンダ室にパイロット圧が加わることで、ピストンがスプリングに抗してストロークし、弁体が開放し、２次側に消火用水が供給され、引き出されたホース４６のノズル４８からの放水が開始される。
【００８７】
放水を停止する場合には、消火栓弁開閉レバー４５を放水位置から放水停止位置に戻すと、パイロット手動弁９０が閉鎖され、消火栓弁７６のシリンダ室に対する消火用水に供給が停止される。このためシリンダ室の圧力は自動排水弁８６を介して排水側に連通して２次側の圧力が低下し、ピストンが弁体を閉鎖側に移動させ、これに伴い２次側の圧力が低下し、ノズルからの放水が停止される。
【００８８】
［ノズル係止構造の第１実施形態］
図７はノズル係止構造の第１実施形態を示した説明図、図８は図７のノズルホルダーによりホース収納部にノズルを保持させた状態を示した説明図である。
【００８９】
（ホース収納用の仕切板）
図７に示すように、ホース収納部４０の筐体４１は前方及び後方に開口している。前方の開口には横方向に配置された２本のフレームパイプ４２ａの間に前方ホース取出口４４ａが形成され、後方の開口には横方向に配置されたフレームパイプ４２ｂの間に後方ホース取出口４４ｂが形成されている。
【００９０】
また、筐体４１の前後に形成された前方ホース取出口４４ａと後方ホース取出口４４ｂの上部及び下部の内側の各々に、縦回りに内巻きされるホース４６の空洞部に向けて開くように仕切板４７ａ，４７ｂが傾斜して配置されている。
【００９１】
このため筐体４１内にホース４６を内巻きして収納する場合、筐体４１内の上下に配置された仕切板４７ａ，４７ｂの中にホース４６を巻き回すことで、誰が巻いても、図示のように、例えば４列４段に内巻きすることを可能とする。
【００９２】
また、筐体４１内の上下に配置された仕切板４７ａ，４７ｂの中にホース４６が巻き回されているため、仕切板４７ａ，４７ｂを垂直に配置した場合に比べ、前方ホース取出口４４ａ又は後方ホース取出口４４ｂからホース４６を引き出す場合の抵抗が低減され、ホース４６の引き出し力を少なくすることができる。
【００９３】
（ノズルホルダー）
本実施形態にあっては、筐体４１内にホース４６を縦回りに内巻きする場合、例えば、筐体４１の下側４段目の前方ホース取出口４４ａに隣接した部分をホース巻き残し部分とし、このホース巻き残し部分にノズル４８をホースホルダー５０により３段目のホース４６の部分に着脱自在に係止させている。
【００９４】
ノズルホルダー５０は、図８（Ａ）に示すように、一対のホルダーアーム５２をノズル４８におけるノズル胴部４８ａの両側に溶接等により固定するようにしている。ホルダーアーム５２は例えばアルミニウム等で作られており、図８（Ｂ）に示すように、一対のホルダーアーム５２のリング状に湾曲した一端のノズル固定部５２ａがノズル胴部４８ａに溶接等により固定され、一対のホルダーアーム５２は先端側に、先端で開き且つホース４６の外径に対応した内径を持つリング状のホース係止部５２ｂが形成されている。
【００９５】
このようにノズル４８にノズルホルダー５０が固定されることで、ホース収納部４０の筐体４１内に内巻きしているホース４６の巻き残し部分に、ノズル胴部４８ａの両側に固定された一対のホルダーアーム５２ａに形成されたホース係止部５２ｂを嵌め入れられることで、ノズルホルダー５０によりノズル４８が、グリップ４８ｂを上向きにした状態で、筐体４１内に内巻きしたホース４６の下側の空洞部に着脱自在に係止される。
【００９６】
また、ノズル４８はノズルホルダー５０によりグリップ４８ａを上向きとした状態で係止されているため、図３及び図４に示したように、ホース収納部４０が監視員通路１４上の露出する位置に上昇された場合、利用者は前方ホース取出口４４ａ及び後方ホース取出口４４ｂのいずれからも筐体４１内に収納されているノズル４８のグリップ４８ｂを見ることができ、グリップ４８ｂを握ってノズル４８を取り出す操作が簡単且つ容易にできる。
【００９７】
更に、ノズル４８を取り出してホース４６を引き出して放水を行う場合、図８に示したように、利用者はグリップ４８ｂを握ってノズル４８を操作することになるが、この場合、ノズル胴部４８ａの上側に飛び出しているノズルホルダー５０がグリップ４８ｂを持つ場合、反対の手でノズルホルダー５０を持って支えるといった補佐的な使用が可能となり、放水時のノズル４８の操作を行い易くすることを可能とする。
【００９８】
なお、ノズル３８に固定したノズルホルダー５０の中心部付近に蝶番を設け、ホース４６からノズル３８を外した場合にノズル３８からノズルホルダー５０が突出しないように折り畳み自在な構造としても良い。
【００９９】
また、図７にあっては、ノズル４８は筐体４１内に内巻きしたホース４６の下側にホース巻き残し部分を形成してノズルホルダー５０により着脱自在に係止しているが、これに限定されない。例えば、筐体４１内に内巻きしたホース４６の上下方向となる側面内側のホース部分にノズルホルダー５０によりノズル４８を着脱自在に係止しても良し、それ以外の任意のホース部分に着脱自在に係止しても良い。
【０１００】
（表示板の傾斜配置）
図７に示すように、ホース収納部４０における筐体４１の上側前方に配置された仕切板４７ａの表側には、操作方法が表示された第１表示板９８ａが配置され、また、筐体４１の上側後方に配置された仕切板４７ｂの表側（筐体４１の背面側）には、操作方法が表示された第２表示板９８ａが配置されている。なお、第１表示板９８ａ及び第２表示板９８ｂは、図３及び図４に示したように、３枚に分けて操作方法が表示されている。
【０１０１】
ここで、筐体４１の前方に配置された第１表示板９８ａは、道路側から操作する利用者が見ることから、垂直方向に配置されている。これに対し筐体４１の後方に配置された第２表示板９８ｂは、監視員通路１４側から操作する利用者が見ることから、第２表示板９８ｂの表示面が斜め上向きとなるように傾斜して配置されている。
【０１０２】
これにより利用者が監視員通路１４に立って監視員通路上に上昇されたホース収納部４０の筐体４１の背後の後方ホース取出口４４ｂからノズル４８を取り出し、ホース４６を引き出して消火作業を行う場合、後方ホース取出口４４ｂの上側に第２表示板９８ｂが斜め上向きに傾斜して設けられていることで、利用者の視点９９となる斜め上方から見た場合の視認性が向上し、監視員通路側からの迅速且つ確実な操作を可能とする。
【０１０３】
［ノズル係止構造の第２実施形態］
図９はノズル係止構造の第２実施形態を示した説明図、図１０はノズルホルダーを取り出して正面及び横断面で示した説明図、図１１はホースに支持したノズルホルダーに対するノズルの係止状態を取り出して正面及び側面を示した説明図である。
【０１０４】
図９に示すように、ホース収納部４０の筐体４１は図７に示したと同じ構成であり、筐体４１内にホース４６が縦回りに内巻きされている。
【０１０５】
ノズルホルダー１５０は、図１０に示すように、連結部１５０ａの一端に、先端側に開き且つホース４６の外径に対応した内径Ｄ１を持つリング状のホース係止部１５０ｂが形成されると共に、連結部１５０ａの他端に、先端側に開き且つノズル４８の胴部外径に対応した内径Ｄ２を持つリング状のノズル係止部１５０ｃが形成されており、例えば、合成樹脂の射出成形により作られている。
【０１０６】
また、ノズルホルダー１５０は、ノズルを引き外す場合に、ホース係止部１５０ａがホース側から先に外れるように、ホース係止部１５０ａの係止強度をノズル係止部１５０ｂの係止強度より弱くしている。これは例えば、ホース係止部１５０ａの内径Ｄ１とホース外径との遊び間隔ΔＤ１が、ノズル係止部１５０ｂの外径Ｄ２のノズル４８の胴部との遊び間隔ΔＤ２より大きくすることで実現される。
【０１０７】
ノズルホルダー１５０は、図９及び図１１に示すように、筐体４１内に内巻きされたホース４６の内側空洞部の上側で横に並んだ複数のホース部分の内の中央のホース部分に、ホース係止部１５０ｂが嵌め込まれ、これにより内巻きされたホース４６の内側空洞部に吊り下げられた状態となる。また、ノズルホルダー１５０のホース係止部１５０ｂは、中央のホース部分に嵌め入れた場合、両側に位置するホース部分により挟み込まれた状態に支持される。
【０１０８】
内巻きしたホース４６の内側空洞部のホース部分に吊り下げられたノズルホルダー１５０の下側に位置するノズル係止部１５０ｃには、図１１（Ａ）に示すように、ノズル４８の胴部４８ａが嵌め込まれ、ノズルホルダー１５０に対しノズル４８が着脱自在に係止される。
【０１０９】
このようにノズル４８は内巻きしたホース４６の内側空洞部内に吊り下げられたノズルホルダー１５０に係止されていることから、図示で左側となる道路側となる筐体４１の前方ホース取出口４４ａ、または、図示で右側となる監視員通路側となる筐体４１の背面の後方ホース取出口４４ａの何れからも、ノズル４８の取出しが簡単且つ容易にできる。
【０１１０】
なお、ノズルホルダー１５０によるノズル４８の係止は、内巻きしたホース４６の内側空洞部の下側に並んだホース部分にホース係止部５０ｂを嵌め入れて起立させた状態でノズル４８を係止させるようにしても良い。
【０１１１】
また実施形態では、ノズル４８を引き外す場合に、ノズルホルダー１５０のホース係止部１５０ｂがホース４６側から先に外れるように、ホース係止部１５０ｂの係止強度をノズル係止部１５０ｃの係止強度より弱くするため、ホース係止部１５０ｂのホース４６側に対する係止の遊び間隔が、ノズル係止部１５０ｃのノズル４８に対する係止の遊び間隔より大きくされているが、これに限定されない。例えば、ノズルホルダー１５０のホース係止部１５０ｂが剛性の低い所定り素材で形成され、ノズル係止部１５０ｃがホース係止部１５０ｃに対し剛性の高い他の素材で形成されるようにしても良い。
【０１１２】
［磁気吸着によるノズルの固定係止］
図１２はホース収納部のパイプフレームに磁石吸着機能を持たせたノズル係止構造の実施形態を示した説明図であり、図１２（Ａ）はノズルの磁気吸着を解除した状態を示し、図１２（Ｂ）はノズルを磁気吸着した状態を示す。
【０１１３】
図１２に示すように、本実施形態にあっては、ホース収納部４０の前方ホース取出口４４ａを仕切る２本のフレームパイプ４２ａに加え、上側のフレームパイプ４２ａに近接して棒磁石７４を中央に配置した磁性フレームパイプ７２を配置している。
【０１１４】
図１２（Ａ）に示すように、内巻きしたホース４６の内側空洞部にノズルホルダー１５０によってノズル４８を係止した場合に、このままではホース収納部４０の昇降に伴う動きに対しノズル４８が動く可能性がある。そこで、図１２（Ｂ）に示すように、ノズルホルダー１５０及びノズル４８を例えば前方となる左側に回動させ、棒磁石７４が設けられた磁性フレームパイプ７２に、例えばノズル４８のグリップ４８ｂを吸着固定させる。
【０１１５】
なお、棒磁石７４を中央に配置した磁性フレームパイプ７２の代わりに、前方ホース取出口４４ａを仕切る２本のフレームパイプ４２ａにリング磁石を嵌め入れ、リング磁石はフレームパイプ４２ａの任意の位置に移動できるようにし、リング磁石にノズル４８のグリップ４８ｂを吸着固定させることで保持させても良い。また、ノズル４８のグリップ４８ｂ等の磁石に吸着させる部分には、磁気吸着可能な素材とするか部材を配置する。
【０１１６】
［消火栓扉を備えた消火栓装置］
図１３は消火栓扉を備えた消火栓装置におけるノズルホルダーによりノズル係止を消火栓扉及び保守扉を外して正面から見て示した説明図である。
【０１１７】
図１３に示すように、本実施形態の消火栓装置１００は、トンネル内の監視員通路の横のトンネル壁に埋設設置されており、筐体右側の開口部１０２の下側に想像線で示すように、下向きに開閉自在な消火栓扉１０３が設けられ、上側には上向きに開閉自在な保守扉１０５が設けられている。
【０１１８】
開口部１０２の中は、ホース収納部１０４とバルブ類収納部１０６に分けられている。バルブ類収納部１０６には、給水弁１１２や消火栓弁を開閉操作する操作レバー１１４が設けられている。
【０１１９】
筐体左側の開口部１１６には通報装置扉１１８と消火器扉１２６が設けられる。通報装置扉１１８には、赤色表示灯１２０、発信機１２２及び応答ランプ１２４が設けられている。消火器扉１２６は左側に開閉でき、内部に２本の消火器が収納されている。
【０１２０】
ホース収納部１０４にはフレームパイプが縦横配置されたバケットフレーム１０８が設けられ、開口部１０２の略中央となる位置にホース取出口１１０を形成している。バケットフレーム１０８の中には、先端にノズル４８が装着されたホース４６が内巻きして収納されている。
【０１２１】
ノズル４８はホース取出口１１０から外側に取り出され、ホース取出口１１０の内側に収納されているホース部分に正面側からノズルホルダー１５０を嵌め入れて水平方向に支持させ、ノズルホルダー１５０の先端側にホース取出口１１０から取り出されたノズル４８を下向きにして着脱自在に係止させている。
【０１２２】
このようにノズルホルダー１５０は内巻きされたホース４６の外側に面したホース部分に嵌め込み支持されており、従来のように、バケットフレーム１０８を構成するフレームパイプにノズルホルダーを固定してノズル４８を係止させる必要がなく、ノズル係止構造を簡単な構造とすることができる。
【０１２３】
また、ノズルホルダー１５０を嵌め入れるホース部分は必要に応じて変更することが可能であり、ノズル４８を係止させる位置を最適な所望の位置に簡単に変更することができる。
【０１２４】
また、ノズルホルダー１５０を嵌め入れたホース部分に近いフレームパイプにリング磁石を嵌め入れることで、ノズルホルダー１５０に係止させたノズル４８を吸着固定して動かないようにすることができる。
【０１２５】
［本発明の変形例］
（ノズルホルダーの係止強度）
（消火栓設備）
上記の実施形態で示した消火栓設備のホース類や消火栓弁等のバルブ類、通報装置の構成及び配置、その他の構成については任意であり、適宜の構成を採用して良い。
【０１２６】
（その他）
また本発明は、その目的と利点を損なうことのない適宜の変形を含み、更に、上記の実施形態に示した数値による限定は受けない。
【符号の説明】
【０１２７】
１０：トンネル
１２：トンネル壁面
１４：監視員通路
１５：道路
１６：消火栓設備
１８：床版
２０：管理用通路
２２：ダクト
２４：給水本管
２４ａ：分岐配管
３０：消火栓収納箱
３２，４１：筐体
３４：開口部
３６：点検扉
３８：取手
３７：消火栓昇降口
４０：ホース収納部
４２：フレームパイプ
４３：路面板
４４ａ：前方ホース取出口
４４ｂ：後方ホース取出口
４５，４５ａ：消火栓弁開閉レバー
４６：ホース
４８：ノズル
４８ａ：胴部
４８ｂ：グリップ
５０，１５０：ノズルホルダー
５２：ホルダーアーム
５２ａ：ノズル固定部
５２ｂ，１５０ｂ：ホース係止部
５４：昇降機構
５６：水圧シリンダ
６２：連結ホース
６４：フレキシブルジョイント
６６：制御機構収納部
７２：磁性フレームパイプ
７４：棒磁石
７６：消火栓弁
７８：自動調圧弁
８０：混合器
８２：泡タンク
８４，８５：メンテナンス弁
８６，８８：自動排水弁
９０，９２：パイロット手動弁
９４ａ，９４ｂ：パイロット配管
９６：ポンプ起動連動スイッチ
９８ａ：第１表示板
９８ｂ：第２表示板
１００：消火栓装置
１０３：消火栓扉
１１０：ホース取出口
１５０：ノズルホルダー
１５０ａ：連結部
１５０ｂ：ホース係止部
１５０ｃ：ノズル係止部
【図１】
2018089270.tif 000003
【図２】
2018089270.tif 000004
【図３】
2018089270.tif 000005
【図４】
2018089270.tif 000006
【図５】
2018089270.tif 000007
【図６】
2018089270.tif 000008
【図７】
2018089270.tif 000009
【図８】
2018089270.tif 000010
【図９】
2018089270.tif 000011
【図１０】
2018089270.tif 000012
【図１１】
2018089270.tif 000013
【図１２】
2018089270.tif 000014
【図１３】
2018089270.tif 000015